(57)【要約】【課題】  専用線の布設に基づいて生じる装置設置上の制限及びコストの増大を緩和する音声配信サービス通信方法及びシステムを提供する。【解決手段】  音声情報を配信する情報サーバ２ａと音声配信サービス局内装置４ａとがＩＰ網３で接続され、情報サーバ２ａが音声情報を配信し、音声配信サービス局内装置４ａ及び音声配信サービス宅内装置６ａが加入者線路５ａの状態を監視する。状態が空きの場合は、音声配信サービス局内装置４ａが音声情報を音声配信サービス宅内装置６ａに配信し、音声配信サービス宅内装置６ａが音声情報を出力する。状態が空き以外の場合は、音声配信サービス局内装置４ａが加入者線路５ａを通話サービス提供装置８ａに、音声配信サービス宅内装置６ａが加入者線路５ａを加入者端末７ａに接続する。また、音声配信サービス局内装置４ａは、音声配信サービス宅内装置６ａからの要求に応じて配信情報の接続を切替える。【選択図】  図１
2005198183.tif 000002
【特許請求の範囲】
【請求項１】
情報を提供する情報センタと、当該情報センタに接続される情報サーバと、当該情報サーバにＩＰ網を介して接続される音声配信サービス局内装置と、当該音声配信サービス局内装置に加入者線路を介して接続される音声配信サービス宅内装置と、当該音声配信サービス宅内装置に接続される加入者端末と、前記音声配信サービス局内装置に接続され、加入者端末により電話サービスを提供する通話サービス提供装置とを備えた通信システムの下で実行する音声配信サービス通信方法であって、
情報サーバが、音声配信サービス局内装置にＩＰ網を介して情報センタからの情報を配信するステップと、
音声配信サービス局内装置が、ＩＰ網を介して情報サーバから情報の配信を受けるステップと、
音声配信サービス局内装置及び音声配信サービス宅内装置が、加入者線路の状態を監視するステップと、
当該状態が空きの場合には、音声配信サービス局内装置が、前記情報センタからの情報をＩＰ網を介して音声配信サービス宅内装置に配信し、音声配信サービス宅内装置が、配信を受けた情報を出力するステップと、
前記状態が空き以外の場合には、音声配信サービス局内装置が加入者線路を通話サービス提供装置に、音声配信サービス宅内装置が加入者線路を加入者端末にそれぞれ接続するステップと、
音声配信サービス宅内装置が、配信する情報の切替えを音声配信サービス局内装置に要求するステップと、
音声配信サービス局内装置が、前記音声配信サービス宅内装置からの配信情報切替え要求に応じて、情報を配信する情報サーバの接続を切替えるステップとを有することを特徴とする音声配信サービス通信方法。
【請求項２】
請求項１に記載の音声配信サービス通信方法において、
前記通信システムは一つの情報サーバと複数の音声配信サービス局内装置とがＩＰ網を介して接続され、
前記情報サーバがＩＰ網を介して複数の音声配信サービス局内装置に同一の情報を配信するステップを有することを特徴とする音声配信サービス通信方法。
【請求項３】
請求項１または２に記載の音声配信サービス通信方法において、
前記情報サーバが情報を配信するステップの前に、音声配信サービス局内装置が情報サーバに情報の配信を要求するステップを有することを特徴とする音声配信サービス通信方法。
【請求項４】
請求項３に記載の音声配信サービス通信方法において、
前記情報サーバが、音声配信サービス局内装置から情報の配信要求を受信し、当該配信要求が正規であるか否かを確認し、正規である場合には情報を配信するステップを有することを特徴とする音声配信サービス通信方法。
【請求項５】
請求項４に記載の音声配信サービス通信方法において、
前記情報サーバは、配信要求と共に音声配信サービス局内装置のＩＰアドレスを含む通信情報を受信し、当該通信情報に基づいて配信要求が正規であるか否かの確認を行うことを特徴とする音声配信サービス通信方法。
【請求項６】
請求項１から５までのいずれか一項に記載の音声配信サービス通信方法において、
前記音声配信サービス局内装置は、情報サーバから情報の配信を受け、当該配信が正規であるか否かを確認し、正規である場合には前記情報を音声配信サービス宅内装置に配信するステップを有することを特徴とする音声配信サービス通信方法。
【請求項７】
請求項６に記載の音声配信サービス通信方法において、
前記音声配信サービス局内装置は、情報の配信と共に情報サーバのＩＰアドレスを含む通信情報を受信し、当該通信情報に基づいて配信が正規であるか否かの確認を行うことを特徴とする音声配信サービス通信方法。
【請求項８】
情報を提供する情報センタと、当該情報センタに接続される情報サーバと、当該情報サーバにＩＰ網を介して接続される音声配信サービス局内装置と、当該音声配信サービス局内装置に加入者線路を介して接続される音声配信サービス宅内装置と、当該音声配信サービス宅内装置に接続される加入者端末と、前記音声配信サービス局内装置に接続され、加入者端末により電話サービスを提供する通話サービス提供装置とを備えた音声配信サービス通信システムであって、
前記情報サーバは、ＩＰ網を介して音声配信サービス局内装置に情報を配信する機能を有し、
前記音声配信サービス局内装置は、
情報サーバからＩＰ網を介して情報センタからの情報の配信を受ける機能、
加入者線路の状態を監視し、当該状態が空きの場合には、前記情報センタからの情報を音声配信サービス宅内装置に配信し、前記状態が空き以外の場合には、加入者線路を通話サービス提供装置に接続する機能、
及び音声配信サービス宅内装置からの配信する情報の切替え要求に応じて、情報を配信する情報サーバの接続を切替える機能を有し、
前記音声配信サービス宅内装置は、
加入者線路の状態を監視し、当該状態が空きの場合には、前記情報センタからの情報を受信して出力し、前記状態が空き以外の場合には、加入者線路を加入者端末に接続する機能、
及び配信する情報の切替えを音声配信サービス局内装置に要求する機能を有することを特徴とする音声配信サービス通信システム。
【請求項９】
請求項８に記載の音声配信サービス通信システムにおいて、
一つの情報サーバと複数の音声配信サービス局内装置とをＩＰ網を介して接続し、前記一つの情報サーバが、複数の音声配信サービス局内装置に同一の情報を配信することを特徴とする音声配信サービス通信システム。
【請求項１０】
請求項８または９に記載の音声配信サービス通信システムにおいて、
前記情報サーバは、音声配信サービス局内装置からの配信要求に応じて情報を配信することを特徴とする音声配信サービス通信システム。
【請求項１１】
請求項１０に記載の音声配信サービス通信システムにおいて、
前記情報サーバは、音声配信サービス局内装置から情報の配信要求を受信し、当該配信要求が正規であるか否かを確認し、正規である場合には情報を配信することを特徴とする音声配信サービス通信システム。
【請求項１２】
請求項１１に記載の音声配信サービス通信システムにおいて、
前記情報サーバは、配信要求と共に音声配信サービス局内装置のＩＰアドレスを含む通信情報を受信し、当該通信情報に基づいて配信要求が正規であるか否かの確認を行うことを特徴とする音声配信サービス通信システム。
【請求項１３】
請求項８から１２までのいずれか一項に記載の音声配信サービス通信システムにおいて、
前記音声配信サービス局内装置は、情報サーバから情報の配信を受け、当該配信が正規であるか否かを確認し、正規である場合には前記情報を音声配信サービス宅内装置に配信することを特徴とする音声配信サービス通信システム。
【請求項１４】
請求項１３に記載の音声配信サービス通信システムにおいて、
前記音声配信サービス局内装置は、情報の配信と共に情報サーバのＩＰアドレスを含む通信情報を受信し、当該通信情報に基づいて配信が正規であるか否かの確認を行うことを特徴とする音声配信サービス通信システム。
【発明の詳細な説明】
【技術分野】
【０００１】
本発明は、加入者線路が空き状態のときに、加入者に情報（音声）の配信を行う音声配信サービス通信方式に関する。
【背景技術】
【０００２】
従来の音声配信サービスには、例えば、本出願人である日本電信電話株式会社が提供する“オフトーク通信サービス”がある。このオフトーク通信サービスは、電話回線の空き時間を利用して、情報センタから電話等を利用する加入者に対して音声情報等を提供するサービスである。この通信サービスシステムは、情報センタと交換局とが専用線で接続され、交換局と加入者宅とが加入者線（電話回線）で接続される。つまり、情報センタ内のセンタ装置と交換局内の音声配信サービス局内装置との接続手段として、専用線伝送装置を用いた専用線を使用していた（「非特許文献１」参照）。
【０００３】
【非特許文献１】日本電信電話株式会社，「オフトーク通信サービスを利用するための技術参考資料」，社団法人電気通信協会，昭和６３年１０月１５日，ｐ．２１−２２
【発明の開示】
【発明が解決しようとする課題】
【０００４】
しかしながら、上述の通信サービスには以下のような制約があった。
（１）情報センタ内のセンタ装置及び交換局内の音声配信サービス局内装置を、専用線が布設可能な場所に設置する必要があるため、設置場所が制限されていた。
（２）専用線の使用料金はそれが提供される距離により決定されるため、情報センタと交換局との間の距離が長い場合には、通信コストが増大していた。
（３）一つの情報センタに複数の交換局が接続される場合、すなわち、１台のセンタ装置に複数台の音声配信サービス局内装置が接続される場合には、音声配信サービス局内装置毎に専用線が必要になるため、通信コストが増大していた。
【０００５】
そこで、本発明はかかる課題に鑑みてなされたものであり、その目的は、専用線の布設に基づいて生じる装置設置上の制限及びコストの増大を緩和する音声配信サービス通信方法及びシステムを提供することにある。
【課題を解決するための手段】
【０００６】
上記の課題を解決するために、本発明による音声配信サービス通信方法は、情報を提供する情報センタと、当該情報センタに接続される情報サーバと、当該情報サーバにＩＰ網を介して接続される音声配信サービス局内装置と、当該音声配信サービス局内装置に加入者線路を介して接続される音声配信サービス宅内装置と、当該音声配信サービス宅内装置に接続される加入者端末と、前記音声配信サービス局内装置に接続され、加入者端末により電話サービスを提供する通話サービス提供装置とを備えた通信システムの下で実行する音声配信サービス通信方法であって、情報サーバが、音声配信サービス局内装置にＩＰ網を介して情報センタからの情報を配信するステップと、音声配信サービス局内装置が、ＩＰ網を介して情報サーバから情報の配信を受けるステップと、音声配信サービス局内装置及び音声配信サービス宅内装置が、加入者線路の状態を監視するステップと、当該状態が空きの場合には、音声配信サービス局内装置が、前記情報センタからの情報をＩＰ網を介して音声配信サービス宅内装置に配信し、音声配信サービス宅内装置が、配信を受けた情報を出力するステップと、前記状態が空き以外の場合には、音声配信サービス局内装置が加入者線路を通話サービス提供装置に、音声配信サービス宅内装置が加入者線路を加入者端末にそれぞれ接続するステップと、音声配信サービス宅内装置が、配信する情報の切替えを音声配信サービス局内装置に要求するステップと、音声配信サービス局内装置が、前記音声配信サービス宅内装置からの配信情報切替え要求に応じて、情報を配信する情報サーバの接続を切替えるステップとを有することを特徴とする。
【０００７】
また、本発明による音声配信サービス通信システムは、情報を提供する情報センタと、当該情報センタに接続される情報サーバと、当該情報サーバにＩＰ網を介して接続される音声配信サービス局内装置と、当該音声配信サービス局内装置に加入者線路を介して接続される音声配信サービス宅内装置と、当該音声配信サービス宅内装置に接続される加入者端末と、前記音声配信サービス局内装置に接続され、加入者端末により電話サービスを提供する通話サービス提供装置とを備えた音声配信サービス通信システムであって、前記情報サーバは、ＩＰ網を介して音声配信サービス局内装置に情報を配信する機能を有し、前記音声配信サービス局内装置は、情報サーバからＩＰ網を介して情報センタからの情報の配信を受ける機能、加入者線路の状態を監視し、当該状態が空きの場合には、前記情報センタからの情報を音声配信サービス宅内装置に配信し、前記状態が空き以外の場合には、加入者線路を通話サービス提供装置に接続する機能、及び音声配信サービス宅内装置からの配信する情報の切替え要求に応じて、情報を配信する情報サーバの接続を切替える機能を有し、前記音声配信サービス宅内装置は、加入者線路の状態を監視し、当該状態が空きの場合には、前記情報センタからの情報を受信して出力し、前記状態が空き以外の場合には、加入者線路を加入者端末に接続する機能、及び配信する情報の切替えを音声配信サービス局内装置に要求する機能を有することを特徴とする。
【０００８】
ここで、情報サーバが配信する情報は、例えばモデムを使用する場合にはそのモデム信号を含む広い概念であり、情報サーバから音声配信サービス局内装置に音声を配信するために必要な制御情報を含む。
【０００９】
本発明によれば、音声配信サービス局内装置が情報サーバからＩＰ網を介して情報の配信を受けるようにしたから、専用線を使用する必要がない。従って、情報センタ及び音声配信サービス局内装置を、専用線が布設可能な場所に設置する必要があるという従来技術の課題を解決できる。また、専用線の使用料金がその距離により決定されることにより通信コストが増大するという従来技術の課題も解決できる。
【００１０】
また、本発明によれば、ＩＰ網を介して一つの情報サーバに複数の音声配信サービス局内装置を接続するようにしたから、一つの情報センタに複数の音声配信サービス局内装置を接続する場合に音声配信サービス局内装置毎に専用線が必要になり通信コストが増大するという従来技術の課題を解決できる。
【発明の効果】
【００１１】
本発明によれば、専用線の代わりにＩＰ網を使用するように構成したから、専用線の布設に基づいて生じる装置及び設備設置上の制限及びコスト増大の問題を緩和することができる。また、情報サーバは情報の配信要求が正規であるか否かを確認するようにし、音声配信サービス局内装置は情報の配信が正規であるか否かを確認するようにしたから、セキュリティを向上させることができる。
【発明を実施するための最良の形態】
【００１２】
以下、図面を参照して、本発明の音声配信サービス通信方法及びシステムの実施形態を説明する。
図１は、本発明の音声配信サービス通信方式の全体構成を説明するブロック図である。この音声配信サービス通信システムは、情報センタ１ａ，１ｂと、情報センタ１ａ，１ｂにそれぞれ接続される情報サーバ２ａ，２ｂと、情報サーバ２ａ，２ｂにＩＰ網３を介して接続される音声配信サービス局内装置４ａ，４ｂと、音声配信サービス局内装置４ａ，ｂに加入者線路５ａ，５ｂを介してそれぞれ接続される音声配信サービス宅内装置６ａ，６ｂと、音声配信サービス宅内装置６ａ，６ｂにそれぞれ接続される加入者端末７ａ，７ｂ及び音声出力装置９ａ，９ｂと、音声配信サービス局内装置４ａ，４ｂにそれぞれ接続される通話サービス提供装置８ａ，８ｂとを備えて構成される。また、情報サーバ２ａと音声配信サービス局内装置４ａとの間、情報サーバ２ａと音声配信サービス局内装置４ｂとの間、情報サーバ２ｂと音声配信サービス局内装置４ａとの間、情報サーバ２ｂと音声配信サービス局内装置４ｂとの間は、ＩＰ網３により接続される。
【００１３】
情報センタ１ａ，１ｂには、利用者が配信を要求する種々の音声情報（以下、「情報」という。）が格納されており、情報提供者がこれらの情報を管理している。情報センタ１ａは、情報サーバ２ａを経由しＩＰ網３を介して、音声配信サービス局内装置４ａ，４ｂに情報を提供する。同様に、情報センタ１ｂは、情報サーバ２ｂを経由しＩＰ網３を介して、音声配信サービス局内装置４ａ，４ｂに情報を提供する。尚、情報センタ１ａ，１ｂは、具体的には情報提供者が提供する情報が管理されるセンタ内にそれぞれ設置され、各情報サーバ２ａ，２ｂと通信可能な装置をいう。
【００１４】
音声配信サービス宅内装置６ａ，６ｂは、本サービスの利用者宅内に設置された装置であり、電話回線である加入者線路５ａ，５ｂと加入者端末７ａ，ｂまたは音声出力装置９ａ，９ｂとの間の接続の切替えを制御する。具体的には、音声配信サービス宅内装置６ａは、加入者線路５ａ及び加入者端末７ａを監視し、“空き”の状態の場合には、加入者線路５ａを音声出力装置９ａに接続し、加入者線路５ａを介して配信される情報センタ１ａまたは情報センタ１ｂからの情報を出力する。一方、“空き”以外の状態の場合には、加入者線路５ａを加入者端末７ａに接続する。同様に、音声配信サービス宅内装置６ｂは、加入者線路５ｂ及び加入者端末７ｂを監視し、“空き”の状態の場合には、加入者線路５ｂを音声出力装置９ｂに接続し、加入者線路５ｂを介して配信される情報センタ１ａまたは情報センタ１ｂからの情報を出力する。一方、“空き”以外の状態の場合には、加入者線路５ｂを加入者端末７ｂに接続する。
【００１５】
音声配信サービス局内装置４ａ，４ｂは、交換局内に設置された装置であり、加入者線路５ａ，５ｂと情報サーバ２ａまたは情報サーバ２ｂ若しくは通話サービス提供装置８ａ，８ｂとの間の接続の切替えを制御する。具体的には、音声配信サービス局内装置４ａは、加入者線路５ａ及び通話サービス提供装置８ａを監視し、“空き”の状態の場合には、情報サーバ２ａまたは情報サーバ２ｂを加入者線路５ａに接続し、情報サーバ２ａまたは情報サーバ２ｂよりＩＰ網３を介して配信される情報センタ１ａまたは情報センタ１ｂからの情報を出力する。一方、“空き”以外の状態の場合には、通話サービス提供装置８ａを加入者線路５ａに接続する。同様に、音声配信サービス局内装置４ｂは、加入者線路５ｂ及び通話サービス提供装置８ｂを監視し、“空き”の状態の場合には、情報サーバ２ａまたは情報サーバ２ｂを加入者線路５ｂに接続し、情報サーバ２ａまたは情報サーバ２ｂよりＩＰ網３を介して配信される情報センタ１ａまたは情報センタ１ｂからの情報を出力する。一方、“空き”以外の状態の場合には、通話サービス提供装置８ｂを加入者線路５ｂに接続する。ここで、通話サービス提供装置８ａ，８ｂは、加入者端末７ａ，７ｂに電話サービスをそれぞれ提供する。
【００１６】
また、音声配信サービス局内装置４ａ，４ｂは、例えば、情報センタ１ａからの情報を受信し、音声配信サービス宅内装置６ａ，６ｂを介して音声出力装置９ａ，９ｂに出力しているときに、音声配信サービス宅内装置６ａ，６ｂから配信する情報の切替えを要求する信号（情報センタ１ｂへの接続に切替えを要求する信号）を受信する。そして、音声配信サービス局内装置４ａ，４ｂは、情報サーバ２ａと加入者線路５ａ，５ｂとの間の接続を情報サーバ２ｂと加入者線路５ａ，５ｂとの接続に切替え、情報センタ１ｂからの情報を情報サーバ２ｂよりＩＰ網３を介して受信し、音声配信サービス宅内装置６ａ，６ｂを経由して音声出力装置９ａ，９ｂに出力する。
【００１７】
次に、音声配信サービス通信方式の動作について説明する。
図２は、本発明の音声配信サービス通信方式における第１の実施例を示す動作説明図である。音声配信サービスを提供する場合、音声配信サービス局内装置４ｂは、情報センタ１ａ，１ｂから以下の手順により情報の配信を受ける。
（１）動作１１
音声配信サービス局内装置４ｂには、情報サーバ２ａ，２ｂに対しＩＰ網３を介して情報の配信を要求するために必要な通信情報、例えば、音声配信サービス局内装置４ｂのＩＰアドレス、情報サーバ２ａ，２ｂのＩＰアドレス、使用するポート番号、通信プロトコル等が予め設定される。
（２）動作１２
音声配信サービス局内装置４ｂは、動作１１において予め設定された通信情報に基づき、ＩＰ網３を介して情報サーバ２ａに情報の配信を要求する。この際、音声配信サービス局内装置４ｂは、予め設定された自らのＩＰアドレス、使用するポート番号、通信プロトコル等の通信情報も通知する。
（３）動作１３
情報サーバ２ａは、音声配信サービス局内装置４ｂからの情報配信要求に応じ、同時に通知された音声配信サービス局内装置４ｂのＩＰアドレス等の通信情報に基づき、情報を配信する。この場合、情報サーバ２ａは、複数の音声配信サービス局内装置４ａ，４ｂからの情報配信要求に応じ、同時に複数の音声配信サービス局内装置４ａ，４ｂに情報を配信してもよい。
（４）動作１４
音声配信サービス局内装置４ｂは、必要に応じて動作１２を繰り返し、ＩＰ網３を介して他の情報サーバ２ｂに情報の配信を要求し、情報センタ１ｂから情報の配信を受ける。
【００１８】
図３は、本発明の音声配信サービス通信方式における第２の実施例を示す動作説明図である。音声配信サービスを提供する場合、音声配信サービス局内装置４ｂは、情報センタ１ａ，１ｂから以下の手順により情報の配信を受ける。
（１）動作２１
音声配信サービス局内装置４ｂには、情報サーバ２ａ，２ｂに対しＩＰ網３を介して情報の配信を要求するために必要な通信情報、例えば、音声配信サービス局内装置４ｂのＩＰアドレス、情報サーバ２ａ，２ｂのＩＰアドレス、使用するポート番号、通信プロトコル等が予め設定される。
（２）動作２２
情報サーバ２ａ，２ｂには、ＩＰ網３を介して情報の配信を要求する音声配信サービス局内装置４ｂの通信情報、例えば、音声配信サービス局内装置４ｂのＩＰアドレス、使用するポート番号、通信プロトコル等が予め設定される。
（３）動作２３
音声配信サービス局内装置４ｂは、動作２１において予め設定された通信情報に基づき、ＩＰ網３を介して情報サーバ２ａに情報の配信を要求する。この際、音声配信サービス局内装置４ｂは、予め設定された自らのＩＰアドレス、使用するポート番号、通信プロトコル等の通信情報も通知する。
（４）動作２４
情報サーバ２ａは、音声配信サービス局内装置４ｂからの情報配信要求を受けると、同時に通知された音声配信サービス局内装置４ｂのＩＰアドレス等の通信情報と、当該情報サーバ２ａにおいて予め設定された音声配信サービス局内装置４ｂのＩＰアドレス等の通信情報とを比較する。情報サーバ２ａは、比較の結果両者が一致した場合には、音声配信サービス局内装置４ｂからの情報配信要求に応じ、同時に通知された音声配信サービス局内装置４ｂのＩＰアドレス等の通信情報に基づき、情報を配信する。この場合、情報サーバ２ａは、複数の音声配信サービス局内装置４ａ，４ｂからの情報配信要求に応じ、同時に複数の音声配信サービス局内装置４ａ，４ｂに情報を配信してもよい。
（５）動作２５
音声配信サービス局内装置４ｂは、必要に応じて動作２３を繰り返し、ＩＰ網３を介して他の情報サーバ２ｂに情報の配信を要求し、情報センタ１ｂから情報の配信を受ける。
【００１９】
図４は、本発明の音声配信サービス通信方式における第３の実施例を示す動作説明図である。音声配信サービスを提供する場合、音声配信サービス局内装置４ｂは、情報センタ１ａ，１ｂから以下の手順により情報の配信を受ける。
（１）動作３１
音声配信サービス局内装置４ｂには、情報サーバ２ａ，２ｂに対しＩＰ網３を介して情報の配信を要求するために必要な通信情報、例えば、音声配信サービス局内装置４ｂのＩＰアドレス、情報サーバ２ａ，２ｂのＩＰアドレス、使用するポート番号、通信プロトコル等が予め設定される。
（２）動作３２
音声配信サービス局内装置４ｂは、動作３１において予め設定された通信情報に基づき、ＩＰ網３を介して情報サーバ２ａに情報の配信を要求する。この際、音声配信サービス局内装置４ｂは、予め設定された自らのＩＰアドレス、使用するポート番号、通信プロトコル等の通信情報も通知する。
（３）動作３３
情報サーバ２ａは、音声配信サービス局内装置４ｂからの情報配信要求に応じ、同時に通知された音声配信サービス局内装置４ｂのＩＰアドレス等の通信情報に基づき、情報を配信する。この際、情報サーバ２ａは、情報の配信と同時に、情報サーバ２ａのＩＰアドレス、使用するポート番号、通信プロトコル等の通信情報を付加して通知する。この場合、情報サーバ２ａは、複数の音声配信サービス局内装置４ａ，４ｂからの情報配信要求に応じ、同時に複数の音声配信サービス局内装置４ａ，４ｂに情報を配信してもよい。
（４）動作３４
音声配信サービス局内装置４ｂは、情報サーバ２ａよりＩＰ網３を介して配信された情報に付加された情報サーバ２ａのＩＰアドレス等の通信情報と、当該音声配信サービス局内装置４ｂにおいて予め設定された情報サーバ２ａのＩＰアドレス等の通信情報とを比較する。音声配信サービス局内装置４ｂは、比較の結果両者が一致した場合には、情報サーバ２ａよりＩＰ網３を介して配信された情報を正規の情報として取り扱い、音声配信サービス宅内装置６ｂに配信する。
（５）動作３５
音声配信サービス局内装置４ｂは、必要に応じて動作３２を繰り返し、ＩＰ網３を介して他の情報サーバ２ｂに情報の配信を要求し、情報センタ１ｂから情報の配信を受ける。
【００２０】
図５は、本発明の音声配信サービス通信方式における第４の実施例を示す動作説明図である。音声配信サービスを提供する場合、音声配信サービス局内装置４ｂは、情報センタ１ａ，１ｂから以下の手順により情報の配信を受ける。
（１）動作４１
音声配信サービス局内装置４ｂには、情報サーバ２ａ，２ｂに対しＩＰ網３を介して情報の配信を要求するために必要な通信情報、例えば、音声配信サービス局内装置４ｂのＩＰアドレス、情報サーバ２ａ，２ｂのＩＰアドレス、使用するポート番号、通信プロトコル等が予め設定される。
（２）動作４２
情報サーバ２ａ，２ｂには、ＩＰ網３を介して情報の配信を要求する音声配信サービス局内装置４ｂの通信情報、例えば、音声配信サービス局内装置４ｂのＩＰアドレス、使用するポート番号、通信プロトコル等が予め設定される。
（３）動作４３
音声配信サービス局内装置４ｂは、動作４１において予め設定された通信情報に基づき、ＩＰ網３を介して情報サーバ２ａに情報の配信を要求する。この際、音声配信サービス局内装置４ｂは、予め設定された自らのＩＰアドレス、使用するポート番号、通信プロトコル等の通信情報も通知する。
（４）動作４４
情報サーバ２ａは、音声配信サービス局内装置４ｂからの情報配信要求を受けると、同時に通知された音声配信サービス局内装置４ｂのＩＰアドレス等の通信情報と、当該情報サーバ２ａにおいて予め設定された音声配信サービス局内装置４ｂのＩＰアドレス等の通信情報とを比較する。情報サーバ２ａは、比較の結果両者が一致した場合には、音声配信サービス局内装置４ｂからの情報配信要求に応じ、同時に通知された音声配信サービス局内装置４ｂのＩＰアドレス等の通信情報に基づき、情報を配信する。この際、情報サーバ２ａは、情報の配信と同時に、情報サーバ２ａのＩＰアドレス、使用するポート番号、通信プロトコル等の通信情報を付加して通知する。この場合、情報サーバ２ａは、複数の音声配信サービス局内装置４ａ，４ｂからの情報配信要求に応じ、同時に複数の音声配信サービス局内装置４ａ，４ｂに情報を配信してもよい。
（５）動作４５
音声配信サービス局内装置４ｂは、情報サーバ２ａよりＩＰ網３を介して配信された情報に付加された情報サーバ２ａのＩＰアドレス等の通信情報と、当該音声配信サービス局内装置４ｂにおいて予め設定された情報サーバ２ａのＩＰアドレス等の通信情報とを比較する。音声配信サービス局内装置４ｂは、比較の結果両者が一致した場合には、情報サーバ２ａよりＩＰ網３を介して配信された情報を正規の情報として取り扱い、音声配信サービス宅内装置６ｂに配信する。
（６）動作４６
音声配信サービス局内装置４ｂは、必要に応じて動作４３を繰り返し、ＩＰ網３を介して他の情報サーバ２ｂに情報の配信を要求し、情報センタ１ｂから情報の配信を受ける。
【００２１】
図６は、本発明の音声配信サービス通信方式における第５の実施例を示す動作説明図である。音声配信サービスを提供する場合、音声配信サービス局内装置４ｂは、情報センタ１ａから以下の手順により情報の配信を受ける。
（１）動作５１
情報サーバ２ａには、ＩＰ網３を介して情報の配信を要求する音声配信サービス局内装置４ｂの通信情報、例えば、音声配信サービス局内装置４ｂのＩＰアドレス、使用するポート番号、通信プロトコル等が予め設定される。
（２）動作５２
情報サーバ２ａは、予め設定された音声配信サービス局内装置４ｂのＩＰアドレス等の通信情報に基づき、無条件に情報を配信する。尚、動作５１において、情報サーバ２ａは、複数の音声配信サービス局内装置４ａ，４ｂの通信情報が設定された場合には、同時に複数の音声配信サービス局内装置４ａ，４ｂに情報を無条件に配信してもよい。
【００２２】
図７は、本発明の音声配信サービス通信方式における第６の実施例を示す動作説明図である。音声配信サービスを提供する場合、音声配信サービス局内装置４ｂは、情報センタ１ａから以下の手順により情報の配信を受ける。
（１）動作６１
音声配信サービス局内装置４ｂには、情報サーバ２ａを識別するために必要な通信情報、例えば、情報サーバ２ａのＩＰアドレス、使用するポート番号、通信プロトコル等が予め設定される。
（２）動作６２
情報サーバ２ａには、ＩＰ網３を介して情報の配信を要求する音声配信サービス局内装置４ｂの通信情報、例えば、音声配信サービス局内装置４ｂのＩＰアドレス、使用するポート番号、通信プロトコル等が予め設定される。
（３）動作６３
情報サーバ２ａは、予め設定された音声配信サービス局内装置４ｂのＩＰアドレス等の通信情報に基づき、無条件に情報を配信する。この際、情報サーバ２ａは、情報の配信と同時に、情報サーバ２ａのＩＰアドレス、使用するポート番号、通信プロトコル等の通信情報を付加して通知する。尚、動作６２において、情報サーバ２ａは、複数の音声配信サービス局内装置４ａ，４ｂの通信情報が設定された場合には、同時に複数の音声配信サービス局内装置４ａ，４ｂに情報を無条件に配信してもよい。
（４）動作６４
音声配信サービス局内装置４ｂは、情報サーバ２ａよりＩＰ網３を介して配信された情報に付加された情報サーバ２ａのＩＰアドレス等の通信情報と、当該音声配信サービス局内装置４ｂにおいて予め設定された情報サーバ２ａのＩＰアドレス等の通信情報とを比較する。音声配信サービス局内装置４ｂは、比較の結果両者が一致した場合には、情報サーバ２ａよりＩＰ網３を介して配信された情報を正規の情報として取り扱い、音声配信サービス宅内装置６ｂに配信する。
【００２３】
以上のように、本発明の実施例によれば、音声配信サービス局内装置４ａ，４ｂが情報サーバ２ａ，２ｂよりＩＰ網３を介して情報の配信を受けるようにしたから、専用線を使用する必要がない。従って、専用線に代えてＩＰ網３を使用するようにしたから、専用線に関する装置及び設備が不要となり、専用線の布設に基づく装置等の設置上の制限を受けることがなく、既存のＩＰ網３を共用することができる。
【００２４】
また、本発明の実施例によれば、１台の情報サーバ２ａに複数（実施例では２台）の音声配信サービス局内装置４ａ，４ｂを接続し、１台の情報サーバ２ａから複数の音声配信サービス局内装置４ａ，４ｂに情報を配信するようにした。これにより、新たに音声配信サービス局内装置を追加設置した場合であっても、情報サーバ２ａ，２ｂ側の装置や設備の追加設置が不要となり、装置及び設備を軽減することができる。従って、専用線の布設に基づくコスト増大の制限を受けることがない。
【００２５】
また、本発明の実施例によれば、情報サーバ２ａが正規の音声配信サービス局内装置４ｂからの情報配信要求であるか否かを確認するようにした。これにより、情報サーバ２ａは、正規でない音声配信サービス局内装置からの情報配信要求を防止し、セキュリティを向上させることができる。
【００２６】
また、本発明の実施例によれば、音声配信サービス局内装置４ｂが正規の情報サーバ２ａからの情報配信であるか否かを確認するようにした。これにより、音声配信サービス局内装置４ａは、正規でない情報サーバからの情報配信を防止し、セキュリティを向上させることができる。
【００２７】
以上実施例を挙げて本発明を説明したが、本発明は上記実施例に限定されるものではなく、その技術思想を逸脱しない範囲で種々変形可能である。例えば、上記実施例では、情報センタ１、情報サーバ２、音声配信サービス局内装置４、音声配信サービス宅内装置６、加入者端末７、通話サービス提供装置８、音声出力装置９がそれぞれ２台の装置により構成されているが、２台に限定されるものではなく、３台以上の装置により構成されてもよい。
【００２８】
また、上記実施例では、配信する対象を音声情報としたが、音声それ自体の情報に限定されるものではなく、広く音声情報の配信のために必要な制御情報、例えばモデム信号の情報も含むようにしてもよい。
【図面の簡単な説明】
【００２９】
【図１】本発明の音声配信サービス通信方式の全体構成を説明するブロック図である。
【図２】本発明の音声配信サービス通信方式における第１の実施例を示す動作説明図である。
【図３】本発明の音声配信サービス通信方式における第２の実施例を示す動作説明図である。
【図４】本発明の音声配信サービス通信方式における第３の実施例を示す動作説明図である。
【図５】本発明の音声配信サービス通信方式における第４の実施例を示す動作説明図である。
【図６】本発明の音声配信サービス通信方式における第５の実施例を示す動作説明図である。
【図７】本発明の音声配信サービス通信方式における第６の実施例を示す動作説明図である。
【符号の説明】
【００３０】
１ａ，１ｂ  情報センタ
２ａ，２ｂ  情報サーバ
３  ＩＰ網
４ａ，４ｂ  音声配信サービス局内装置
５ａ，５ｂ  加入者線路
６ａ，６ｂ  音声配信サービス宅内装置
７ａ，７ｂ  加入者端末
８ａ，８ｂ  通話サービス提供装置
９ａ，９ｂ  音声出力装置
【図１】
2005198183.tif 000003
【図２】
2005198183.tif 000004
【図３】
2005198183.tif 000005
【図４】
2005198183.tif 000006
【図５】
2005198183.tif 000007
【図６】
2005198183.tif 000008
【図７】
2005198183.tif 000009